(57)【要約】【課題】機械的接点を用いた電圧操作などを行うことなく、蓄電池を用いて配電系統の余剰電力を吸収する。【解決手段】実施形態による蓄電システムは、配電系統に接続された複数の蓄電装置を備える。複数の蓄電装置は、第１蓄電装置と、第２蓄電装置とを含む。第１蓄電装置は、第１蓄電池と、配電系統の電圧が第１電圧以上になった場合に配電系統の電力を第１蓄電池に充電する第１制御を行う第１制御部とを備える。第２蓄電装置は、第２蓄電池と、配電系統の電圧が第１電圧よりも大きい第２電圧以上になった場合に配電系統の電力を第２蓄電池に充電する第２制御を行う第２制御部とを備える。【選択図】図２
2016077114.tif 000002
【特許請求の範囲】
【請求項１】
配電系統に接続された複数の蓄電装置を備え、
前記複数の蓄電装置は、第１蓄電装置と、第２蓄電装置とを含み、
前記第１蓄電装置は、第１蓄電池と、前記配電系統の電圧が第１電圧以上になった場合に前記配電系統の電力を前記第１蓄電池に充電する第１制御を行う第１制御部とを備え、
前記第２蓄電装置は、第２蓄電池と、前記配電系統の電圧が前記第１電圧よりも大きい第２電圧以上になった場合に前記配電系統の電力を前記第２蓄電池に充電する第２制御を行う第２制御部とを備える、蓄電システム。
【請求項２】
前記第１制御部は、前記配電系統の電圧が第３電圧以下になった場合に前記第１蓄電池の電力を前記配電系統に放電する第３制御を行うように構成されており、
前記第２制御部は、前記配電系統の電圧が前記第３電圧よりも小さい第４電圧以下になった場合に前記第２蓄電池の電力を前記配電系統に放電する第４制御を行うように構成されている、請求項１に記載の蓄電システム。
【請求項３】
前記第１制御部は、前記第１制御と、前記配電系統の電圧が第５電圧以上になった場合に前記配電系統の電力を前記第１蓄電池に充電する第５制御とを、第１期間毎に切り替えるように構成されており、
前記第２制御部は、前記第１制御部が前記第１制御を行っている期間は前記第２制御を行い、前記第１制御部が前記第５制御を行っている期間は、前記配電系統の電圧が前記第５電圧よりも小さい第６電圧以上になった場合に前記配電系統の電力を前記第２蓄電池に充電する第６制御を行うように構成されている、請求項１に記載の蓄電システム。
【請求項４】
前記第１制御部は、前記第３制御と、前記配電系統の電圧が第７電圧以下になった場合に前記第１蓄電池の電力を前記配電系統に放電する第７制御とを、第２期間毎に切り替えるように構成されており、
前記第２制御部は、前記第１制御部が前記第３制御を行っている期間は前記第４制御を行い、前記第１制御部が前記第７制御を行っている期間は、前記配電系統の電圧が前記第７電圧よりも大きい第８電圧以下になった場合に前記第２蓄電池の電力を前記配電系統に放電する第８制御を行うように構成されている、請求項２に記載の蓄電システム。
【発明の詳細な説明】
【技術分野】
【０００１】
本発明の実施形態は、蓄電システムに関する。
【背景技術】
【０００２】
一般家庭などで太陽光発電設備が使用されるケースが増加すると、配電系統の電圧上昇や周波数異常などの不都合が生じることがある。この不都合に対処するために、従来では、小容量の蓄電池を分散して設置することにより、太陽光発電設備の余剰電力を蓄電池で吸収するという手段が用いられることがあった。このような手段の一例として、たとえば、配電系統に接続される変圧器の下位系統に蓄電池を設け、リレーなどの機械的接点を使用して変圧器の出力電圧を操作することにより、蓄電池を充放電させる構成が知られている。
【先行技術文献】
【特許文献】
【０００３】
【特許文献１】特開２０１２−５０１７０号公報
【発明の概要】
【発明が解決しようとする課題】
【０００４】
上記の構成では、機械的接点の摩耗や劣化が起こりやすい。また、変圧器の出力電圧が機械的接点により操作される度に下位系統の電圧が変化するため、下位系統に接続される装置の動作に不具合が生じることがある。
【課題を解決するための手段】
【０００５】
実施形態による蓄電システムは、配電系統に接続された複数の蓄電装置を備える。複数の蓄電装置は、第１蓄電装置と、第２蓄電装置とを含む。第１蓄電装置は、第１蓄電池と、配電系統の電圧が第１電圧以上になった場合に配電系統の電力を第１蓄電池に充電する第１制御を行う第１制御部とを備える。第２蓄電装置は、第２蓄電池と、配電系統の電圧が第１電圧よりも大きい第２電圧以上になった場合に配電系統の電力を第２蓄電池に充電する第２制御を行う第２制御部とを備える。
【図面の簡単な説明】
【０００６】
【図１】図１は、実施形態による蓄電システムの全体構成を示した例示図である。
【図２】図２は、実施形態による蓄電装置の内部構成を示した例示ブロック図である。
【図３】図３は、実施形態による蓄電装置が行う充電制御を説明するための例示図である。
【図４】図４は、実施形態による蓄電装置が行う放電制御を説明するための例示図である。
【図５】図５は、実施形態による蓄電装置のインバータ制御部の例示制御ブロック図である。
【図６】図６は、第１変形例による蓄電装置の内部構成を示した例示ブロック図である。
【図７】図７は、第１変形例による蓄電装置が行う充電制御を説明するための例示図である。
【図８】図８は、第２変形例による蓄電装置が行う放電制御を説明するための例示図である。
【図９】図９は、第３変形例による蓄電装置が行う充電制御および放電制御を説明するための例示図である。
【発明を実施するための形態】
【０００７】
以下、実施形態を図面に基づいて説明する。
【０００８】
まず、図１を参照して、実施形態による蓄電システム１００の全体構成の一例について説明する。
【０００９】
図１に示すように、蓄電システム１００は、変圧器５０が設けられた電柱Ｐの上に設置されている。この蓄電システム１００は、２個の蓄電装置１０を備える。なお、図１は、蓄電システム１００が電柱Ｐの上に設置された例を示しているが、実施形態では、蓄電システム１００が電信柱の上に設置されていてもよいし、蓄電システム１００が地上に設置されていてもよい。
【００１０】
変圧器５０は、高圧配電系統Ｓ１に接続される一次巻線（図示せず）と、低圧配電系統Ｓ２に接続される二次巻線（図示せず）とを含み、一次巻線の電圧に基づいて二次巻線の電圧を生成するように構成されている。２個の蓄電装置１０は、低圧配電系統Ｓ２に接続されている。
【００１１】
次に、図２を参照して、実施形態による蓄電装置１０の内部構成の一例について説明する。
【００１２】
図２に示すように、蓄電装置１０は、蓄電池１１と、インバータ１２と、交流電圧検出部１３と、交流電流検出部１４と、直流電圧検出部１５と、インバータ制御部１６とを備える。
【００１３】
蓄電池１１は、充放電可能な二次電池である。蓄電池１１は、インバータ１２の直流側に設けられている。インバータ１２は、直流と交流とを変換する電力変換装置である。インバータ１２の交流出力は、低圧配電系統Ｓ２に接続されている。
【００１４】
交流電圧検出部１３は、低圧配電系統Ｓ２の交流電圧Ｖ０（以下、単に電圧Ｖ０とする）を検出するように構成されている。交流電流検出部１４は、インバータ１２が低圧配電系統Ｓ２に出力する交流電流を検出するように構成されている。直流電圧検出部１５は、蓄電池１１の直流電圧を検出するように構成されている。
【００１５】
インバータ制御部１６は、交流電圧検出部１３の検出値と、交流電流検出部１４の検出値と、直流電圧検出部１５の検出値とに基づいて、インバータ１２を制御するように構成されている。具体的には、インバータ制御部１６は、低圧配電系統Ｓ２の電圧Ｖ０が第１しきい値以上になった場合に、低圧配電系統Ｓ２の電力を蓄電池１１に充電する制御を行うように構成されている。
【００１６】
ここで、実施形態では、２個の蓄電装置１０には、上記の第１しきい値として、互いに異なる値が設定されている。すなわち、２個の蓄電装置１０のうちの一方を第１蓄電装置とし、他方を第２蓄電装置とすると、第１蓄電装置のインバータ制御部１６は、低圧配電系統Ｓ２の電圧Ｖ０が第１電圧Ｖ１以上になった場合に蓄電池１１を充電する第１制御を行うように構成されており、第２蓄電装置のインバータ制御部１６は、低圧配電系統Ｓ２の電圧Ｖ０が第１電圧Ｖ１よりも大きい第２電圧Ｖ２以上になった場合に蓄電池１１を充電する第２制御を行うように構成されている。つまり、実施形態では、低圧配電系統Ｓ２の電圧上昇が発生した場合、第１蓄電装置の蓄電池１１が、第２蓄電装置の蓄電池１１よりも先に充電動作を行うように構成されている。
【００１７】
より具体的には、図３に示すように、低圧配電系統Ｓ２の電圧Ｖ０が上昇して第１電圧Ｖ１に達すると、まず、第１蓄電装置の蓄電池１１が充電動作を開始する。この第１蓄電装置の蓄電池１１の充電動作により低圧配電系統Ｓ２の電圧上昇が第２電圧Ｖ２未満で頭打ちになれば、第２蓄電装置の蓄電池１１の充電は開始しない。しかしながら、第１蓄電装置の蓄電池１１の電圧上昇を吸収する能力よりも、電圧上昇を引き起こす電力の方が大きい場合、第１蓄電装置の蓄電池１１が定格運転で充電動作を行っても、電圧上昇を止めることはできない。また、第１蓄電装置の蓄電池１１が満充電になった場合、それ以上の充電動作は停止しなければならないので、電圧上昇がさらに続く。したがって、これらの場合では、低圧配電系統Ｓ２の電圧Ｖ０がさらに上昇して第２電圧Ｖ２に達すると、第２蓄電装置の蓄電池１１が充電動作を開始する。このようにして、実施形態では、第１蓄電装置の蓄電池１１と、第２蓄電装置の蓄電池１１とを協調させながら低圧配電系統Ｓ２の余剰電力を吸収することができる。つまり、低圧配電系統Ｓ２の電圧Ｖ０を適正値に保つことができる。
【００１８】
さらに、実施形態では、インバータ制御部１６は、低圧配電系統Ｓ２の電圧Ｖ０が第２しきい値以下になった場合に、蓄電池１１の電力を低圧配電系統Ｓ２に放電する制御を行うように構成されている。そして、２個の蓄電装置１０には、上記の第２しきい値として、互いに異なる値が設定されている。
【００１９】
すなわち、２個の蓄電装置１０のうちの一方を第１蓄電装置とし、他方を第２蓄電装置とすると、第１蓄電装置のインバータ制御部１６は、低圧配電系統Ｓ２の電圧Ｖ０が第３電圧Ｖ３以下になった場合に蓄電池１１を放電する第３制御を行い、第２蓄電装置のインバータ制御部１６は、低圧配電系統Ｓ２の電圧Ｖ０が第３電圧Ｖ３よりも小さい第４電圧Ｖ４以下になった場合に蓄電池１１を放電する第４制御を行うように構成されている。つまり、実施形態では、低圧配電系統Ｓ２の電圧降下が発生した場合、第１蓄電装置の蓄電池１１が、第２蓄電装置の蓄電池１１よりも先に放電動作を行うように構成されている。
【００２０】
この構成により、実施形態では、図４に示すように、低圧配電系統Ｓ２の電圧Ｖ０が降下して第３電圧Ｖ３に達すると、まず、第１蓄電装置の蓄電池１１が放電動作を開始する。この第１蓄電装置の蓄電池１１の放電動作により低圧配電系統Ｓ２の電圧降下が第４電圧Ｖ４よりも大きい値で頭打ちになれば、第２蓄電装置の蓄電池１１の放電は開始しない。しかしながら、第１蓄電装置の蓄電池１１の電圧降下を吸収する能力よりも、電圧降下を引き起こす電力の方が大きい場合、第１蓄電装置の蓄電池１１が定格運転で放電動作を行っても、電圧降下を止めることはできない。また、第１蓄電装置の蓄電池１１の電力が完全に放電された場合、それ以上の放電動作は停止しなければならないので、電圧降下がさらに続く。したがって、これらの場合では、低圧配電系統Ｓ２の電圧Ｖ０がさらに降下して第４電圧Ｖ４に達すると、第２蓄電装置の蓄電池１１が放電動作を開始する。
【００２１】
次に、図５を参照して、実施形態による蓄電装置１０のインバータ１２が上記の第１〜第４制御を行うための構成についてより具体的に説明する。
【００２２】
図５に示すように、インバータ制御部１６は、制御ブロックとして、ＲＭＳ演算回路２１と、加算器２２と、ＰＩ演算回路２３と、加算器２４と、ＲＭＳ演算回路２５と、加算器２６と、ＰＩ演算回路２７とを備える。また、インバータ制御部１６は、制御ブロックとして、ＰＬＬ回路２８と、ＤＱ変換回路２９と、加算器３０と、ＰＩ演算回路３１と、加算器３２と、ＰＩ演算回路３３と、加算器３４と、加算器３５と、ＤＱ変換回路３６と、ＤＱ逆変換回路３７と、直流電圧補正回路３８と、ＰＷＭ演算回路３９とを備える。
【００２３】
ＲＭＳ演算回路２１は、交流電圧検出部１３の出力の実効値を計算し、計算結果を加算器２２に出力する。加算器２２は、第１電圧Ｖ１（または第２電圧Ｖ２）と、ＲＭＳ演算回路２１の出力のマイナス値を加算した値をＰＩ演算回路２３に出力する。つまり、加算器２２は、第１電圧Ｖ１（または第２電圧Ｖ２）と、交流電圧検出部１３の出力の実効値との差をＰＩ演算回路２３に出力する。ＰＩ演算回路２３は、出力リミッタを備えており、ＲＭＳ演算回路２１の出力が第１電圧Ｖ１（または第２電圧Ｖ２）よりも小さい場合は出力０を維持し、ＲＭＳ演算回路２１の出力が第１電圧Ｖ１（または第２電圧Ｖ２）以上の場合は、ＰＩ演算の結果を加算器２４に出力する。なお、加算器２２に第１電圧Ｖ１が入力されるように設定された蓄電装置１０は、上記の第１蓄電装置であり、加算器２２に第２電圧Ｖ２が入力されるように設定された蓄電装置１０は、上記の第２蓄電装置である。
【００２４】
ＲＭＳ演算回路２５は、交流電圧検出部１３の出力の実効値を計算し、計算結果を加算器２６に出力する。加算器２６は、第３電圧Ｖ３（または第４電圧Ｖ４）と、ＲＭＳ演算回路２５の出力との差をＰＩ演算回路２７に出力する。ＰＩ演算回路２７は、加算器２６の出力が第３電圧Ｖ３（または第４電圧Ｖ４）よりも大きい場合は出力０を維持し、加算器２６の出力が第３電圧Ｖ３（または第４電圧Ｖ４）以下の場合は、ＰＩ演算の結果を加算器２４に出力する。なお、加算器２６に第３電圧Ｖ３が入力されるように設定された蓄電装置１０は、上記の第１蓄電装置であり、加算器２６に第４電圧Ｖ４が入力されるように設定された蓄電装置１０は、上記の第２蓄電装置である。
【００２５】
ここで、実施形態では、上記の第１制御および第２制御のような充電制御が行われる場合には、ＰＩ演算回路２７の出力が０になり、上記の第３制御および第４制御のような放電制御が行われる場合には、ＰＩ演算回路２３の出力が０になるような制御構成となっている。これにより、充電制御が行われる場合には、ＰＩ演算回路２３の出力が有効電流指令値として加算器２４から出力され、放電制御が行われる場合には、ＰＩ演算回路２７の出力が有効電流指令値として加算器２４から出力される。
【００２６】
ＰＬＬ回路２８は、交流電圧検出部１３の出力に基づいて位相情報を出力する。ＤＱ変換回路２９は、交流電流検出部１４の出力を、ＰＬＬ回路２８の出力である位相情報に基づいて、有効電流と無効電流とに分離する。加算器３０は、ＤＱ変換回路２９から出力される有効電流のマイナス値と、加算器２４から出力される有効電流指令値とを加算し、加算結果をＰＩ演算回路３１に出力する。また、加算器３２は、ＤＱ変換回路２９から出力される無効電流のマイナス値と、無効電流指令値とを加算し、加算結果をＰＩ演算回路３３に出力する。なお、無効電流指令値は、有効電流指令値に対応する値であり、有効電流指令値と同じ比率を有する。
【００２７】
ＰＩ演算回路３１は、加算器３０の出力にＰＩ演算を施し、演算結果を加算器３４に出力する。ＰＩ演算回路３３は、加算器３２の出力にＰＩ演算を施し、演算結果を加算器３５に出力する。ＤＱ変換回路３６は、交流電圧検出部１３の出力を、ＰＬＬ回路２８の出力である位相情報に基づいて、有効電圧と無効電圧とに分離する。
【００２８】
加算器３４は、ＰＩ演算回路３１の出力と、ＤＱ変換回路３６から出力される有効電圧とを加算し、加算結果をＤＱ逆変換回路３７に出力する。加算器３５は、ＰＩ演算回路３３の出力と、ＤＱ変換回路３６から出力される無効電圧とを加算し、加算結果をＤＱ逆変換回路３７に出力する。ＤＱ逆変換回路３７は、ＰＬＬ回路２８の出力である位相情報に基づいて、加算器３４の出力および加算器３５の出力にＤＱ逆変換を施し、変換結果を直流電圧補正回路３８に出力する。
【００２９】
直流電圧補正回路３８は、ＤＱ逆変換回路３７の出力を、直流電圧検出部１５の出力に基づいて補正し、補正結果をＰＷＭ演算回路３９に出力する。ＰＷＭ演算回路３９は、直流電圧補正回路３８の出力にＰＷＭ演算を施し、演算結果を制御信号としてインバータ１２に出力する。
【００３０】
以上説明したように、実施形態による蓄電システム１００は、低圧配電系統Ｓ２に接続された２個の蓄電装置１０（第１蓄電装置および第２蓄電装置）を備える。第１蓄電装置および第２蓄電装置の各々は、蓄電池１１と、蓄電池１１の充電動作および放電動作をインバータ１２を介して制御するインバータ制御部１６とを備える。第１蓄電装置のインバータ制御部１６は、低圧配電系統Ｓ２の電圧Ｖ０が第１電圧Ｖ１以上になった場合に低圧配電系統Ｓ２の電力を蓄電池１１に充電する第１制御を行うように構成されている。第２蓄電装置のインバータ制御部１６は、低圧配電系統Ｓ２の電圧Ｖ０が第１電圧Ｖ１よりも大きい第２電圧Ｖ２以上になった場合に低圧配電系統Ｓ２の電力を蓄電池１１に充電する第２制御を行うように構成されている。これにより、機械的接点を用いた電圧操作などを行うことなく、蓄電池１１を用いて低圧配電系統Ｓ２の余剰電力を吸収することができる。また、実施形態によれば、第１蓄電装置および第２蓄電装置に異なる電圧を設定するだけで、第１蓄電装置の蓄電池１１、第２蓄電装置の蓄電池１１の順に充電を行うことができる。この結果、第１蓄電装置と第２蓄電装置とを通信線などで接続することなく、第１蓄電装置の蓄電池１１と第２蓄電装置の蓄電池１１とを協調させながら充電することができるので、システム構成の簡素化および低コスト化を図ることができる。
【００３１】
また、実施形態では、第１蓄電装置のインバータ制御部１６は、低圧配電系統Ｓ２の電圧Ｖ０が第３電圧Ｖ３以下になった場合に蓄電池１１の電力を低圧配電系統Ｓ２に放電する第３制御を行い、第２蓄電装置のインバータ制御部１６は、低圧配電系統Ｓ２の電圧Ｖ０が第３電圧Ｖ３よりも小さい第４電圧Ｖ４以下になった場合に蓄電池１１の電力を低圧配電系統Ｓ２に放電する第４制御を行うように構成されている。これにより、第１蓄電装置および第２蓄電装置に異なる電圧を設定するだけで、第１蓄電装置の蓄電池１１、第２蓄電装置の蓄電池１１の順に放電を行うことができる。この結果、第１蓄電装置と第２蓄電装置とを通信線などで接続することなく、第１蓄電装置の蓄電池１１と第２蓄電装置の蓄電池１１とを協調させながら放電することができるので、システム構成の簡素化および低コスト化を図ることができる。
【００３２】
なお、実施形態では、上記の第３制御および第４制御を行うことなく蓄電池１１を放電してもよい。たとえば、太陽光発電設備に起因して低圧配電系統Ｓ２の電圧上昇が起こっている場合には、太陽光発電が行われない夜間などに蓄電池１１が放電されるように、タイマなどを用いて蓄電池１１を制御してもよい。
【００３３】
また、実施形態では、蓄電装置１０が低圧配電系統Ｓ２に接続された例を示したが、蓄電装置１０は、高圧配電系統Ｓ１に接続されてもよい。しかしながら、蓄電装置１０を高圧配電系統Ｓ１に接続する場合には、高電圧・弱電流に対応した比較的特殊な部品を用いて蓄電装置１０を構成する必要がある。
【００３４】
（第１変形例）
次に、図６および図７を参照して、実施形態の第１変形例について説明する。
【００３５】
図６に示すように、第１変形例による蓄電装置１０ａは、上記実施形態による蓄電装置１０（図２参照）が有する各構成に加えて、タイマ１７を備える。このタイマ１７は、蓄電装置１０ａが運転を開始してからの期間を計時するように構成されている。なお、上記実施形態と同様に、第１変形例による蓄電装置１０ａは、２個設けられている。
【００３６】
ここで、第１変形例では、２個の蓄電装置１０ａのうちの一方を第１蓄電装置とし、他方を第２蓄電装置とすると、第１蓄電装置のインバータ制御部１６ａは、上記実施形態と同様の第１制御と、低圧配電系統Ｓ２の電圧Ｖ０が第５電圧Ｖ５以上になった場合に蓄電池１１を充電する第５制御とを、第１期間毎に切り替えるように構成されている。また、第１変形例では、第２蓄電装置のインバータ制御部１６ａは、第１蓄電装置のインバータ制御部１６ａが第１制御を行っている期間は上記実施形態と同様の第２制御を行い、第１蓄電装置のインバータ制御部１６ａが第５制御を行っている期間は、低圧配電系統Ｓ２の電圧Ｖ０が第５電圧Ｖ５よりも小さい第６電圧Ｖ６以上になった場合に蓄電池１１を充電する第６制御を行うように構成されている。つまり、第１変形例では、充電動作を開始するか否かの基準として第１蓄電装置および第２蓄電装置の各々に設定される設定電圧が、第１期間毎に切り替わる。
【００３７】
たとえば、第１期間が１００日であり、第５制御が第２制御と同一の制御内容であり、第６制御が第１制御と同一の制御内容であるものとすると、図７に示すように、第１蓄電装置と第２蓄電装置とは、１００日毎に役割を交代する。つまり、第１蓄電装置および第２蓄電装置が運転を開始した日を０日目とすると、０〜１００日目までの期間では、第１蓄電装置が第２蓄電装置よりも先に充電動作を開始し、１００〜２００日目までの期間では、第２蓄電装置が第１蓄電装置よりも先に充電動作を開始する。さらに、２００〜３００日目までの期間では、第１蓄電装置が第２蓄電装置よりも先に充電動作を開始し、３００〜４００日目までの期間では、第２蓄電装置が第１蓄電装置よりも先に充電動作を開始する。
【００３８】
第１変形例では、上記のように構成されていることによって、２個の蓄電装置１０ａの充電動作の回数や運転時間の偏りが平均化されるので、一方の蓄電装置１０ａが過剰に充電動作を行うことによる特性の劣化を抑制することができる。
【００３９】
（第２変形例）
次に、図６および図８を参照して、実施形態の第２変形例について説明する。
【００４０】
図６に示すように、第２変形例による蓄電装置１０ｂも、上記第１変形例による蓄電装置１０ａと同様に、タイマ１７を備える。また、上記第１変形例と同様に、第２変形例による蓄電装置１０ｂは、２個設けられている。
【００４１】
ここで、第２変形例では、２個の蓄電装置１０ｂのうちの一方を第１蓄電装置とし、他方を第２蓄電装置とした場合、第１蓄電装置のインバータ制御部１６ｂは、上記実施形態と同様の第３制御と、低圧配電系統Ｓ２の電圧Ｖ０が第７電圧Ｖ７以下になった場合に蓄電池１１を放電する第７制御とを、第２期間毎に切り替えるように構成されている。また、第２変形例では、第２蓄電装置のインバータ制御部１６ｂは、第１蓄電装置のインバータ制御部１６ｂが第３制御を行っている期間は上記実施形態と同様の第４制御を行い、第１蓄電装置のインバータ制御部１６ｂが第７制御を行っている期間は、低圧配電系統Ｓ２の電圧Ｖ０が第７電圧Ｖ７よりも大きい第８電圧Ｖ８以下になった場合に蓄電池１１を放電する第８制御を行うように構成されている。つまり、第２変形例では、放電動作を開始するか否かの基準として第１蓄電装置および第２蓄電装置の各々に設定される設定電圧が、第２期間毎に切り替わる。
【００４２】
たとえば、第２期間が１００日であり、第７制御が第４制御と同一の制御内容であり、第８制御が第３制御と同一の制御内容であるものとすると、図８に示すように、第１蓄電装置と第２蓄電装置とは、１００日毎に役割を交代する。すなわち、第１蓄電装置および第２蓄電装置が運転を開始した日を０日目とすると、０〜１００日目までの期間では、第１蓄電装置が第２蓄電装置よりも先に放電動作を開始し、１００〜２００日目までの期間では、第２蓄電装置が第１蓄電装置よりも先に放電動作を開始する。さらに、２００〜３００日目までの期間では、第１蓄電装置が第２蓄電装置よりも先に放電動作を開始し、３００〜４００日目までの期間では、第２蓄電装置が第１蓄電装置よりも先に放電動作を開始する。
【００４３】
第２変形例では、上記のように構成されていることによって、一方の蓄電装置１０ｂが過剰に放電動作を行うことによる特性の劣化を抑制することができる。
【００４４】
（第３変形例）
次に、図９を参照して、実施形態の第３変形例について説明する。
【００４５】
図９に示すように、第３変形例では、蓄電装置１０ｃが３個設けられている。また、第３変形例では、これら３個の蓄電装置１０ｃのうち最初に充電動作（または放電動作）を行う１個の蓄電装置１０ｃが第３期間毎に順次切り替わるように構成されている。つまり、３個の蓄電装置１０ｃをそれぞれ第１蓄電装置、第２蓄電装置、および第３蓄電装置とすると、これらの第１蓄電装置、第２蓄電装置、および第３蓄電装置は、充電動作（または放電動作）を開始するか否かの基準として設定される設定電圧を、第３期間毎に順次切り替えるように構成されている。
【００４６】
たとえば、第３期間が１００日であり、運転開始時（０日目）の第１蓄電装置、第２蓄電装置、および第３蓄電装置に設定される設定電圧がそれぞれＶ３１、Ｖ３２、およびＶ３３（Ｖ３１＞Ｖ３２＞Ｖ３３）であるものとする。この場合、図９に示すように、０〜１００日目までの期間では、第１蓄電装置、第２蓄電装置、および第３蓄電装置には、それぞれ、設定電圧としてＶ３１、Ｖ３２、およびＶ３３が設定され、１００〜２００日目までの期間では、第１蓄電装置、第２蓄電装置、および第３蓄電装置には、それぞれ、設定電圧としてＶ３３、Ｖ３１、およびＶ３２が設定される。さらに、２００〜３００日目までの期間では、第１蓄電装置、第２蓄電装置、および第３蓄電装置には、それぞれ、設定電圧としてＶ３２、Ｖ３３、およびＶ３４が設定され、３００〜４００日目までの期間では、第１蓄電装置、第２蓄電装置、および第３蓄電装置には、それぞれ、設定電圧としてＶ３１、Ｖ３２、およびＶ３３が設定される。
【００４７】
つまり、図９に示した例では、０〜１００日目までの期間では、第１蓄電装置、第２蓄電装置、第３蓄電装置の順に充電動作（または放電動作）が開始し、１００〜２００日目までの期間では、第２蓄電装置、第３蓄電装置、第１蓄電装置の順に充電動作（または放電動作）が開始する。さらに、２００〜３００日目までの期間では、第３蓄電装置、第１蓄電装置、第２蓄電装置の順に充電動作（または放電動作）が開始し、３００〜４００日目までの期間では、第１蓄電装置、第２蓄電装置、第３蓄電装置の順に充電動作（または放電動作）が開始する。
【００４８】
第３変形例では、上記のように構成されていることによって、蓄電装置１０ｃの個数が３個である場合にも、特定の蓄電装置１０ｃが過剰に充電動作（または放電動作）を行うことによる特性の劣化を抑制することができる。
【００４９】
なお、第３変形例の技術は、蓄電装置の個数が４個以上である場合にも適用可能である。すなわち、最初に充電動作（または放電動作）を行う１個の蓄電装置を所定期間で切り替えるようにすれば、蓄電装置の個数が４個以上である場合でも、特定の蓄電装置が過剰に充電動作（または放電動作）を行うことによる特性の劣化を抑制することができる。
【００５０】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【００５１】
１０、１０ａ、１０ｂ、１０ｃ  蓄電装置
１１  蓄電池
１６、１６ａ、１６ｂ  インバータ制御部
１００  蓄電システム
【図１】
2016077114.tif 000003
【図２】
2016077114.tif 000004
【図３】
2016077114.tif 000005
【図４】
2016077114.tif 000006
【図５】
2016077114.tif 000007
【図６】
2016077114.tif 000008
【図７】
2016077114.tif 000009
【図８】
2016077114.tif 000010
【図９】
2016077114.tif 000011